(57)【要約】【課題】  原稿の読取りと、ユーザの安全確保との両立が図られた原稿読取装置を提供する。【解決手段】  載置台に載置された原稿を１枚ずつ、所定の搬送路に沿って自動搬送する搬送部と、搬送部によって搬送された原稿を回収する回収台とを有する自動原稿搬送器を備えた開閉自在な上蓋と、上蓋により覆われる、自動原稿搬送器によって搬送されてきた原稿と対向する位置に備えられたコンタクトガラスと、コンタクトガラスの上に設けられたものであって、原稿の搬送方向に対し直角な方向に延びる、ユーザの手指が前記コンタクトガラスに直接に触れるのを防止する幅のスリットが形成された、原稿が上面を通過するスリット部材と、搬送されてきた原稿が、コンタクトガラスの下方からコンタクトガラスおよびスリットを介して光を照射するとともにスリットおよびコンタクトガラスを介して反射光を受光する画像読取器とを備えた。【選択図】        図２
2007300535.tif 000002
【特許請求の範囲】
【請求項１】
画像が記録された原稿を載置する載置台と、該載置台に載置された原稿を１枚ずつ、所定の搬送路に沿って自動搬送する搬送部と、該搬送部によって搬送された原稿を回収する回収台とを有する自動原稿搬送器を備えた開閉自在な上蓋と、
前記上蓋により覆われる、前記自動原稿搬送器によって搬送されてきた原稿と対向する位置に備えられたコンタクトガラスと、
前記コンタクトガラスの上に設けられたものであって、原稿の搬送方向に対し直角な方向に延びる、ユーザの手指が前記コンタクトガラスに直接に触れるのを防止する幅のスリットが形成された、原稿が上面を通過するスリット部材と、
搬送されてきた原稿が、前記コンタクトガラスの下方から該コンタクトガラスおよび前記スリットを介して光を照射するとともに該スリットおよび該コンタクトガラスを介して反射光を受光する画像読取器とを備えたことを特徴とする原稿読取装置。
【請求項２】
画像が記録された原稿を載置する載置台と、該載置台に載置された原稿を１枚ずつ、所定の搬送路に沿って自動搬送する搬送部と、該搬送部によって搬送された原稿を回収する回収台とを有する自動原稿搬送器を備えた開閉自在な上蓋と、
前記上蓋により覆われる、前記自動原稿搬送器によって搬送されてきた原稿と対向する位置に備えられたコンタクトガラスと、
前記コンタクトガラスの上に設けられた、前記上蓋が閉じられることによって開き、該上蓋が開けられることによって閉じて、前記上蓋が閉じられた状態で原稿が上面を通過するシャッタ部材と、
搬送されてきた原稿に、前記コンタクトガラスの下方から該コンタクトガラスを介して光を照射すると共に、該コンタクトガラスを介して反射光を受光する画像読取器とを備えたことを特徴とする原稿読取装置。
【請求項３】
画像が記録された原稿を載置する載置台と、該載置台に載置された原稿を１枚ずつ、所定の搬送路に沿って自動搬送する搬送部と、該搬送部によって搬送された原稿を回収する回収台とを有する自動原稿搬送器を備えた開閉自在な上蓋と、
前記上蓋により覆われる、前記自動原稿搬送器によって搬送されてきた原稿と対向する位置に備えられたコンタクトガラスと、
前記コンタクトガラスの上に設けられた、前記自動原稿搬送器によって搬送されてきた原稿の通路を形成して該コンタクトガラスを覆うガラスカバーとを備えたことを特徴とする原稿読取装置。
【請求項４】
前記スリット部材が、原稿の搬送方向上流側の第１の部位と下流側の第２の部位とからなり、該第２の部位は、上面が該第１の部位の上面よりも低くなるように形成されてなるものであることを特徴とする請求項１記載の原稿読取装置。
【請求項５】
前記スリット部材が、原稿の搬送方向上流側の第１の部位と下流側の第２の部位とからなり、該第２の部位は、原稿の搬送方向下流側に向かうにつれて高くなるスロープ状に形成された、前記所定の搬送路に沿った原稿の搬送を補助する搬送ガイドを兼ねたものであることを特徴とする請求項１記載の原稿読取装置。
【請求項６】
前記シャッタ部材が、互いに開閉する、原稿の搬送方向上流側の第１の部材と下流側の第２の部材とを有し、少なくとも、該第１の部材の該第２の部材側および該第２の部材の該第１の部材側のうちのいずれか一方に前記コンタクトガラス上のゴミを回収するブラシを備えたものであることを特徴とする請求項２記載の原稿読取装置。
【発明の詳細な説明】
【技術分野】
【０００１】
本発明は、原稿上に記録された画像を読み取る原稿読取装置に関する。
【背景技術】
【０００２】
従来より、原稿上に記録された画像を読み取るための原稿読取装置が知られている。
【０００３】
原稿読取装置では、プラテンガラスと呼ばれる原稿載置用のガラス板の上に載置された原稿に向けて、露光光源を走査させながら光を照射し、原稿からの反射光を受像センサ上に結像させることで画像信号を得ている。
【０００４】
また、原稿読取装置には、所定のトレイ上に原稿を重ねて載置するだけで、重ねられた原稿から一枚ずつ原稿を引き出して所定の搬送路を搬送する自動原稿搬送器が備えられたものがあり、この自動原稿搬送器を用いた場合の原稿の読取りは、プラテンガラス上に載置された原稿の読取りとは異なり、搬送路を搬送される原稿と対向する位置に配置されたコンタクトガラスの下面側からこのコンタクトガラスの上面側を通過する原稿に向けて、静止状態の露光光源からの露光光をコンタクトガラス越しに照射し、原稿からの反射光を受像センサ上に結像させることで行われている。
【０００５】
ところが、自動原稿搬送器を用いた原稿の読取りにおいては、コンタクトガラスの下面側から上面側を通過する原稿に向けて照射された露光光や原稿からの反射光はコンタクトガラス上の所定部位を通過する。このため、トレイ上に載置された原稿枚数が多い場合には、コンタクトガラスのこの所定部位の温度が過度に上昇し、ユーザが誤ってその部分に触れると火傷を負う危険性がある。
【０００６】
そこで、原稿読取装置に、コンタクトガラスの周囲の空気を積極的に換気するためのファンを備えることで、コンタクトガラスの所定部位の過度の温度上昇を抑える提案がなされている（特許文献１参照。）。
【特許文献１】特開平１１−６９０９１号公報
【発明の開示】
【発明が解決しようとする課題】
【０００７】
しかしながら、上記提案では、ファンの駆動に伴う騒音や、ファンを備えたことによる埃等の装置内への進入が問題となるおそれがある。
【０００８】
また、ユーザが火傷を負わないようにコンタクトガラスの上面を覆うことが考えられるが、コンタクトガラスの上面を単に覆っただけではコンタクトガラスの上面側を通過する原稿の読取りに問題が生じることとなる。
【０００９】
本発明は、上記事情に鑑み、原稿の読取りと、ユーザの安全確保との両立が図られた原稿読取装置を提供することを目的とする。
【課題を解決するための手段】
【００１０】
上記目的を達成するための本発明の原稿読取装置のうちの第１の原稿読取装置は、
画像が記録された原稿を載置する載置台と、この載置台に載置された原稿を１枚ずつ、所定の搬送路に沿って自動搬送する搬送部と、この搬送部によって搬送された原稿を回収する回収台とを有する自動原稿搬送器を備えた開閉自在な上蓋と、
上記上蓋により覆われる、上記自動原稿搬送器によって搬送されてきた原稿と対向する位置に備えられたコンタクトガラスと、
上記コンタクトガラスの上に設けられたものであって、原稿の搬送方向に対し直角な方向に延びる、ユーザの手指が上記コンタクトガラスに直接に触れるのを防止する幅のスリットが形成された、原稿が上面を通過するスリット部材と、
搬送されてきた原稿が、上記コンタクトガラスの下方からこのコンタクトガラスおよび上記スリットを介して光を照射するとともにこのスリットおよびこのコンタクトガラスを介して反射光を受光する画像読取器とを備えたことを特徴とする。
【００１１】
本発明の第１の原稿読取装置では、コンタクトガラスにユーザの手指が直接触れることによる火傷防止と、画像読取器による、コンタクトガラスの上を通過する原稿の原稿読取りとを両立するために、ユーザの手指がコンタクトガラスに直接に触れるのを防止する幅のスリットが形成された、原稿が上面を通過するスリット部材をコンタクトガラス上に設けた。したがって、本発明の第１の原稿読取装置によれば、画像読取器がスリットを介した光照射等を原稿に向けて行うことで、ユーザの安全を確保しながら原稿読取りを行うことができる。
【００１２】
ここで、上記スリット部材が、原稿の搬送方向上流側の第１の部位と下流側の第２の部位とからなり、この第２の部位は、上面がこの第１の部位の上面よりも低くなるように形成されてなるものであることが好ましい。
【００１３】
スリット部材の、原稿の搬送方向の下流側の第２の部位の上面が、上流側の第１の部位の上面よりも低くなるように形成されていると、スリット部材の上面を通過する原稿の先端と第２の部位の第１の部位側の壁との干渉を防止することができる。
【００１４】
あるいは、上記スリット部材が、原稿の搬送方向上流側の第１の部位と下流側の第２の部位とからなり、この第２の部位は、原稿の搬送方向下流側に向かうにつれて高くなるスロープ状に形成された、上記所定の搬送路に沿った原稿の搬送を補助する搬送ガイドを兼ねたものであってもよい。
【００１５】
上記目的を達成するための本発明の原稿読取装置のうちの第２の原稿読取装置は、
画像が記録された原稿を載置する載置台と、この載置台に載置された原稿を１枚ずつ、所定の搬送路に沿って自動搬送する搬送部と、この搬送部によって搬送された原稿を回収する回収台とを有する自動原稿搬送器を備えた開閉自在な上蓋と、
上記上蓋により覆われる、上記自動原稿搬送器によって搬送されてきた原稿と対向する位置に備えられたコンタクトガラスと、
上記コンタクトガラスの上に設けられた、上記上蓋が閉じられることによって開き、この上蓋が開けられることによって閉じて、上記上蓋が閉じられた状態で原稿が上面を通過するシャッタ部材と、
搬送されてきた原稿に、上記コンタクトガラスの下方からこのコンタクトガラスを介して光を照射すると共に、このコンタクトガラスを介して反射光を受光する画像読取器を備えたことを特徴とする。
【００１６】
本発明の第２の原稿読取装置では、ユーザがコンタクトガラスに触れるおそれのある、上蓋が開けられているときにはシャッタが閉じられていることでユーザを火傷から守り、上蓋が閉じられることで開くシャッタ部材の開口部分を介して、画像読取器が、上蓋が閉じられた状態でシャッタ部材の上面を通過する原稿に向けて光照射等を行うことで、原稿の読取りを行うことができる。したがって、本発明の第２の原稿読取装置によれば、原稿の読取りと、ユーザの安全確保とを両立させることができる。
【００１７】
ここで、上記シャッタ部材が、互いに開閉する、原稿の搬送方向上流側の第１の部材と下流側の第２の部材とを有し、少なくとも、この第１の部材のこの第２の部材側およびこの第２の部材のこの第１の部材側のうちのいずれか一方に上記コンタクトガラス上のゴミを回収するブラシを備えたものであることが好ましい。
【００１８】
少なくとも、第１の部材の第２の部材側および第２の部材の第１の部材側のうちのいずれか一方に上記コンタクトガラス上のゴミを回収するブラシを備えることで、シャッタ部材の開閉動作に伴って、照射光および反射光が通過する、コンタクト上の所定部位をクリーニングすることができ、原稿読取りを正確に行うことができる。
【００１９】
上記目的を達成するための本発明の原稿読取装置のうちの第３の原稿読取装置は、
画像が記録された原稿を載置する載置台と、この載置台に載置された原稿を１枚ずつ、所定の搬送路に沿って自動搬送する搬送部と、この搬送部によって搬送された原稿を回収する回収台とを有する自動原稿搬送器を備えた開閉自在な上蓋と、
上記上蓋により覆われる、上記自動原稿搬送器によって搬送されてきた原稿と対向する位置に備えられたコンタクトガラスと、
上記コンタクトガラスの上に設けられた、上記自動原稿搬送器によって搬送されてきた原稿の通路を形成してこのコンタクトガラスを覆うガラスカバーとを備えたことを特徴とする。
【００２０】
本発明の第３の原稿読取装置では、コンタクトガラスにユーザの手指が直接触れることによる火傷防止と、画像読取器による、コンタクトガラスの上を通過する原稿の原稿読取りとを両立するために、自動原稿搬送器によって搬送されてくる原稿の通路を形成しながらコンタクトガラスを覆うガラスカバーをコンタクトガラス上に設けた。したがって、本発明の第３の原稿読取装置によれば、画像読取器はコンタクトガラスを介しての光照射等を原稿に向けて行うことで、ユーザの安全を確保しながら原稿の読取りを行うことができる。
【００２１】
ここで、上記ガラスカバーが、熱伝導率の低い材料により成形されてなるものであることが好ましい。
【００２２】
ガラスカバーが、熱伝導率の低い材料により成形されてなるものであると、ガラスカバー自身が高温となっることを防止されることから、安全性がより高まる。
【発明の効果】
【００２３】
本発明の原稿読取装置によれば、原稿の読取りと、ユーザの安全確保との両立を図ることができる。
【発明を実施するための最良の形態】
【００２４】
以下、本発明の実施形態について説明する。
【００２５】
図１は、本発明の第１の原稿読取装置の一実施形態の概略構成図である。
【００２６】
図１に示す、本実施形態の原稿読取装置１は、１枚もしくは複数枚の原稿４が載置される載置台２１と、この載置台２１に載置された原稿を一枚ずつ引き出し、搬送路に沿って搬送する搬送部２２と、搬送路に原稿が存在しているか否かを検知するセンサ２４とからなる自動原稿搬送器２０を備えた上蓋２、および、筐体３０と、原稿４の読取りを行う原稿読取部３１と、原稿読取部３１の動作を制御する制御部３２と、自動原稿搬送器２を用いた原稿読取りの際に使用するコンタクトガラス３４と、コンタクトガラス３４に隣接して配備された、ユーザによって原稿が一枚ずつ載置されるプラテンガラス３３とからなる画像読取器３で構成されている。尚、自動原稿読取器２０を備えた上蓋２は、画像読取器３の上部に開閉自在に取りつけられており、搬送路にそって搬送された原稿は、上蓋２の上面の一部２ａに排出されるようになっている。
【００２７】
画像読取器３の構成要素である原稿読取部３１は、自動原稿搬送器２０によって搬送路に沿って搬送されてくる原稿がコンタクトガラス３４上を通過する際に、原稿に記録された画像を読み取るものであって、図１における手前側と奥側との間に延在して配備され原稿に向けて露光光を照射する光源３１１と、原稿への露光光照射を均一に行うために設けられた、光源３１１からの露光光を反射してコンタクトガラス３４に向かわせる第１ミラー３１２と、原稿で反射してきた反射光を水平方向に向けさせる第２ミラー３１３と、第２ミラー３１３によって水平方向に向けられた反射光の向きを逆向きにするミラーユニット３１４と、ミラーユニット３１４からの反射光を結像させるレンズ３１５と、レンズ３１５により結像された光像を受像し画像信号を出力する受像センサ３１６とで構成されている。
【００２８】
この原稿読取装置１では、原稿をプラテンガラス３３上に１枚ずつ載置しての原稿の読取りは、原稿読取部３１の光源３１１やミラーユニット３１４等を筐体３０内で走査させて行ない、自動原稿搬送器２０により自動搬送されてくる原稿の読取りは、原稿読取部３１の光源３１１やミラーユニット３１４等を図１に示す状態に静止させたままで行う。尚、原稿読取部３１の構成要素の走査等は、制御部３２によって制御されている。
【００２９】
また、詳しくは後述するが、この原稿読取装置１では、上蓋２を開いて原稿をプラテンガラス３３上に１枚ずつ載置しての原稿の読取りの際に、ユーザが誤ってコンタクトガラス３４に直接触れることのない様になされている。
【００３０】
図２は、図１に示すコンタクトガラス周辺を示す図である。
【００３１】
図２には、コンタクトガラス３４を保持すると共に搬送路に沿って矢印に示す向きに搬送されてくる原稿の、上蓋２の上面の一部２ａへの排出を補助するための搬送ガイド３５が示されており、図２（ａ）には、コンタクトガラス３４を保持する搬送ガイド３５がコンタクトガラス３４の上面のかなりの部分を覆いながらこのコンタクトガラス３４を保持しているものの、光源３１１からの露光光をこの搬送ガイド３５の上面を通過する原稿に向かわせ、原稿で反射した反射光を第１ミラー３１２に向かわせるためのスリット３５０がコンタクトガラス３４の上面側に形成されている様子が示されている。この搬送ガイド３５は、スリット３５０の、原稿の搬送方向上流側の第１部位３５ａと下流側の第２部位３５ｂとで構成されている。
【００３２】
このスリット３５０は、原稿の搬送方向に対し直角な方向に延びる、ユーザの手指がコンタクトガラス３４に直接に触れるのを防止する程度に狭められた幅のものであることから、原稿読取部３１による通常の原稿読取機能を確保しつつ、光源３１１からの露光光等に晒されて高温になったコンタクトガラス３４にユーザの手指が接触してしまうという事態の発生を防止することができる。また、自動原稿搬送器２０により搬送されてくる原稿は、図２（ａ）に示す搬送ガイド３５の上面を通過して行くが、搬送ガイド３５の第２部位３５ｂは、原稿の搬送方向下流側にむかって上向きのスロープ状に形成されており、この様にすることで、搬送されてきた原稿をスムーズに上蓋２の上面の一部２ａに排出することができる。
【００３３】
図２（ｂ）には、コンタクトガラス３４を保持すると共にスリット３５０を形成するスリット部材４５が、原稿の搬送方向下流側である第２部位４５ｂの上面が上流側の第１部位４５ａの上面よりも低く形成されたものである場合の態様が示されており、この様にすることで、搬送されてきた原稿の先端が、スリット３５０を形成する第２部位４５ｂの第１部位に対向する壁４５１ｂに突き当たらないようにすることができる。
【００３４】
図２（ｃ）には、搬送されてくる原稿の搬送を補助する搬送ガイド５５が、原稿の搬送方向の上流側と下流側とに、スロープ状で、かつ透明な材料で形成された第１部位５５ａと第２部位５５ｂとを有している場合の態様が示されており、この様にすることで、光源３１１と第１ミラー３１２を近接させて配置できない場合に対応することができる。
【００３５】
以上説明したように、この原稿読取装置１によれば、画像読取器３がスリット３５０を介した光照射等を原稿に向けて行うことで、ユーザの安全を確保しながら原稿の読取りを行うことができる。
【００３６】
次に、本発明の第２の原稿読取装置の一実施形態について説明する。尚、本実施形態と、図１に示す本発明の第１の原稿読取装置の実施形態との相違点は、コンタクトガラスの周囲の構成であるので、以下ではこの点に絞って説明する。尚、以下の図に示す部材で、図１および図２に示す部材と同じ種類の部材には、図１および図２において付されている符号と同じ符号が付されている。
【００３７】
図３は、本実施形態の原稿読取装置のコンタクトガラスの周辺を示す図である。
【００３８】
図３（ａ）には、上蓋２（図１参照）が開かれ、コンタクトガラス３４の上面にユーザの手指が直接コンタクトガラス３４に触れることがない程度の幅の間隙４５０（図２（ｃ）参照）が、このコンタクトガラス上の所定の範囲で移動自在に移動する第１部材６５ａと第２部材６５ｂとからなるシャッタ部材６５によって形成されている様子が示されている。図３（ａ）の上部には、矢印に示す方向に開閉される上蓋２の一部材であって、コンタクトガラス３４と対向する位置に備えられた、突起７０１を２つ有する押圧部材７００が示されている。尚、シャッタ部材６５を構成する第１部材６５ａは、原稿の搬送方向上流側に配備され、第２部材６５ｂは、原稿の搬送方向下流側に配備されている。
【００３９】
図３（ｂ）には、上蓋２が閉められたことで、押圧部材７００の突起７０１が、シャッタ部材６５を構成する第１部材６５ａおよび第２部材６５ｂのスロープ部分を押圧し、間隙４５０が広げられた様子が示されている。この様に、本実施形態の原稿読取装置では、ユーザがコンタクトガラス３４に触れるおそれのある上蓋開放時には、シャッタ部材６５が形成する空隙４５０はユーザの手指がコンタクトガラス３４に直接触れることができない程度の幅に狭められ、上蓋２が閉鎖された原稿読取り時には、画像読取器３が、上蓋２が閉じられることにより充分に広げられた間隙４５０を介して、シャッタ部材６５の上面を通過する原稿に向けて光照射等を行うことで、原稿の読取りを行うことができる。したがって、本実施形態の原稿読取装置によれば、原稿の読取りと、ユーザの安全確保との両立を図ることができる。また、本実施形態の原稿読取装置では、図３（ｃ）に示すように、シャッタ部材６５の第１部材６５ａの、第２部材６５ｂと対向する箇所に静電ブラシ８０が備えられている様子が示されており、これは、シャッタ部材６５のシャッタ動作により、間隙４５０に溜まった埃などを吸着するためのものであり、この様にすることで、画像の読取りを正確に行うことができる。
【００４０】
最後に、本発明の第３の原稿読取装置の一実施形態について説明する。尚、本実施形態と、図１に示す本発明の第１の原稿読取装置の実施形態との相違点は、コンタクトガラスの周囲の構成であるので、以下ではこの点に絞って説明する。尚、以下の図に示す部材で、図１および図２に示す部材と同じ種類の部材には、図１および図２において付されている符号と同じ符号が付されている。
【００４１】
図４は、本実施形態の原稿読取装置のコンタクトガラスの周辺を示す図である。
【００４２】
図４には、コンタクトガラス３４の上面に、ユーザの手指が直接コンタクトガラス３４に触れることができない様にするためのガラスカバー９０が取り付けられている様子が示されている。この様に、本実施形態の原稿読取装置では、ユーザがコンタクトガラス３４に触れるおそれのある上蓋開放時にユーザの手指がコンタクトガラス３４に直接触れることがない様に、搬送されてきた原稿の通路を形成してコンタクトガラス３４を覆うガラスカバー９０が備えられており、ガラスカバーとコンタクトガラスとの間に形成された通路を通過する原稿に向けた光照射等を間隙４５０を介して行うことで、原稿の読取りを行うことができる。したがって、本実施形態の原稿読取装置によれば、原稿の読取りと、ユーザの安全確保との両立を図ることができる。また、本実施形態の原稿読取装置では、このガラスカバーが、熱伝導率の低い材料により成形されてなるものであることから、ガラスカバー自身が高温となることを防止し、ユーザの安全確保の徹底が図られている。
【図面の簡単な説明】
【００４３】
【図１】本発明の第１の原稿読取装置の一実施形態の概略構成図である。
【図２】図１に示すコンタクトガラス周辺を示す図である。
【図３】本実施形態の原稿読取装置のコンタクトガラスの周辺を示す図である。
【図４】本実施形態の原稿読取装置のコンタクトガラスの周辺を示す図である。
【符号の説明】
【００４４】
１  原稿読取装置
２  上蓋
２０  自動原稿搬送器
３  画像読取器
３０  筐体
３１  原稿読取部
３１１  光源
３１２  第１ミラー
３１３  第２ミラー
３１４  ミラーユニット
３１５  レンズ
３１６  受像センサ
３２  制御部
３３  プラテンガラス
３４  コンタクトガラス
３５、４５、５５、６５、８５  搬送ガイド
８０  静電ブラシ
９０  ガラスカバー
【図１】
2007300535.tif 000003
【図２】
2007300535.tif 000004
【図３】
2007300535.tif 000005
【図４】
2007300535.tif 000006